(57)【要約】【課題】サブミラーホルダの動きを制御するミラー駆動機構において、ミラー駆動中の光学ファインダ内の光量変化を少なくすることを可能にした撮像装置を提供すること。【解決手段】メインミラーを透過した被写体光束を焦点検出手段へ導く、第１のミラーユニット位置における光学ファインダ内光量の測定結果から、メインミラーを透過した被写体光束を光学ファインダへ導く、第２のミラーユニット位置における光学ファインダ内の光量を算出し、算出された光量が一定の閾値を超えるかを判定することによって、第２のミラーユニット位置における光学ファインダ内の光量を制御する制御手段を有することを特徴とする。【選択図】図７
2017156374.tif 000002
【特許請求の範囲】
【請求項１】
入射光量を制御する絞り（２０２）と、
前記光学像を観察するための光学ファインダ（３００）と、
前記光学像の明るさを測定する測光手段（３０２）と、焦点検出手段（４０３）と、
撮影光学系を通過した光の光学像に応じた画像信号を出力する撮像素子（４０７）と、
被写体光束を前記光学ファインダ（３００）へ導く観察位置と前記撮像素子（４０７）への被写体光束を遮らない撮影位置との間を回動可能なメインミラー（５０１）を備えたメインミラーホルダ（５０２）と、
前記メインミラーホルダ（５０２）に係合し、前記メインミラーを透過した被写体光束を焦点検出手段（４０３）へ導く第１のミラーユニット位置と、
前記メインミラーを透過した被写体光束を前記光学ファインダへ導く第２のミラーユニット位置と、
前記メインミラーホルダ（５０２）の撮影位置まで回動し、被写体光束を前記撮像素子（４０７）に導く第３のミラーユニット位置に制御可能なサブミラー（５０３）と、を備えた撮像装置において、
前記測光手段（３０２）により前記第１のミラーユニット位置における前記光学ファインダ（３００）内の光量の測定結果から、前記第２のミラーユニット位置における前記光学ファインダ（３００）内の光量を算出し、算出された光量が一定の閾値を超えるかを判定することによって、
前記第２のミラーユニット位置における前記光学ファインダ（３００）内の光量を制御する制御手段を有することを特徴とする撮像装置。
【請求項２】
前記制御手段は、前記ミラー駆動装置の駆動開始後、前記ミラー駆動装置の第２の位置で所定の絞り値まで前記絞り（２０２）を駆動させることを特徴とする請求項１に記載の撮像装置。
【請求項３】
前記制御手段は、前記サブミラー（５０３）が前記第３のミラーユニット位置にある状態で、前記絞り（２０２）を所定の絞り値（２０２）まで駆動させ、その後、前記サブミラー（５０３）が駆動することを特徴とする請求項１又は請求項２に記載の撮像装置。
【請求項４】
前記制御手段は、高分子分散液晶（３０５）の透過率を変化させて、前記光学ファインダ（３００）内の光量を制御することを特徴とする請求項１に記載の撮像装置。
【発明の詳細な説明】
【技術分野】
【０００１】
本発明は、撮像装置に関し、特にミラー駆動中の光学ファインダ内光量の制御に関する。
【背景技術】
【０００２】
従来、一眼レフカメラ等のクイックリターンミラー機構では、メインミラーおよびサブミラーを撮影光学系からの光路（撮影光路）の内外に高速で移動させている。一方で、サブミラーホルダの動きを制御することが可能なミラー駆動装置では、メインミラーホルダがミラーアップ駆動開始時にサブミラーホルダと当接するため、メインミラーを透過する入射光はサブミラーで反射されて光学ファインダ内に導かれる。そのため、ミラー駆動中に光学ファインダ内の光量が大きくなり、ユーザが不快に感じるという懸念があった。
【０００３】
特許文献１には、ミラー駆動中の光学ファインダ内の光量変化を少なくするという技術が開示されている。
【先行技術文献】
【特許文献】
【０００４】
【特許文献１】特開２０１３−２１８２４１号公報
【発明の概要】
【発明が解決しようとする課題】
【０００５】
しかしながら、上述の特許文献１に開示された制御手段では、サブミラーホルダの動きを制御することが可能なミラー駆動装置における、ミラー駆動中の光学ファインダ内の光量を制御することが困難であった。
【０００６】
そこで、本発明の目的は、サブミラーホルダの動きを制御するミラー駆動機構において、ミラー駆動中の光学ファインダ内の光量変化を少なくすることを可能にした撮像装置を提供することにある。
【課題を解決するための手段】
【０００７】
上記の目的を達成するために、本発明に係る撮像装置は、
入射光量を制御する絞り（２０２）と、
前記光学像を観察するための光学ファインダ（３００）と、
前記光学像の明るさを測定する測光手段（３０２）と、
焦点検出手段（４０３）と、
撮影光学系を通過した光の光学像に応じた画像信号を出力する撮像素子（４０７）と、
被写体光束を前記光学ファインダ（３００）へ導く観察位置と前記撮像素子（４０７）への被写体光束を遮らない撮影位置との間を回動可能なメインミラー（５０１）を備えたメインミラーホルダ（５０２）と、
前記メインミラーホルダ（５０２）に係合し、前記メインミラーを透過した被写体光束を焦点検出手段（４０３）へ導く第１のミラーユニット位置と、
前記メインミラーを透過した被写体光束を前記光学ファインダへ導く第２のミラーユニット位置と、
前記メインミラーホルダ（５０２）の撮影位置まで回動し、被写体光束を前記撮像素子（４０７）に導く第３のミラーユニット位置に制御可能なサブミラー（５０３）と、を備えた撮像装置において、
前記測光手段（３０２）により前記第１のミラーユニット位置における前記光学ファインダ（３００）内の光量の測定結果から、前記第２のミラーユニット位置における前記光学ファインダ（３００）内の光量を算出し、算出された光量が一定の閾値を超えるかを判定することによって、
前記第２のミラーユニット位置における前記光学ファインダ（３００）内の光量を制御する制御手段を有することを特徴とする。
【発明の効果】
【０００８】
本発明によれば、ミラー駆動中のサブミラーの動きを制御する駆動機構において、ミラー駆動中の光学ファインダの光量変化を少なくすることを可能にした撮像装置を提供することができる。
【図面の簡単な説明】
【０００９】
【図１】本発明の実施形態にかかわるデジタル一眼レフカメラの主要な電気的構成を示すブロック図
【図２】デジタル一眼レフカメラの構成を説明する図
【図３】ミラーユニットの構成を説明する分解斜視図
【図４】メインミラーホルダとサブミラーホルダの動作詳細図
【図５】実施例に係るミラーユニット駆動前までの処理動作を表すフローチャート
【図６】ファインダ内の光量が所定の閾値よりも小さい時の絞り制御を表すフローチャート
【図７】ファインダ内の光量が所定の閾値よりも大きい時の絞り制御を表すフローチャート
【発明を実施するための形態】
【００１０】
以下に、本発明の好ましい実施の形態を、添付の図面に基づいて詳細に説明する。
【００１１】
［実施例］
図１は本発明の実施形態にかかわるデジタル一眼レフカメラの主要な電気的構成を示すブロック図である。
【００１２】
撮影レンズユニット２００は、レンズ群２０１と、絞り２０２と、ＡＦ駆動回路２０３と、絞り駆動回路２０４と、レンズ制御回路２０５と、マウント接点２０６とで構成されている。
【００１３】
レンズ群２０１は、焦点距離をある一定の範囲で自在に変化させる不図示のズームレンズ群と被写体像を結像させる不図示のフォーカスレンズ群を含んでいる。なお、本実施の形態では便宜上１枚の撮影レンズで示しているが、実際は多数のレンズ群により構成されている。
【００１４】
ＡＦ駆動回路２０３は、たとえばステッピングモータによって構成され、レンズ制御回路２０５の制御によってレンズ群２０１内のフォーカスレンズ位置を変化させることにより、後述の撮像素子４０７に撮影光束の焦点を合わせるように調整する。
【００１５】
絞り駆動回路２０４は、たとえばオートアイリスなどによって構成され、レンズ制御回路２０５によって絞り２０２を変化させ、光学的な絞り値を得るように構成されている。
【００１６】
マウント接点２０６は撮影レンズユニット２００が接続されると、レンズ制御回路２０５からＣＰＵ４０１へ信号を送信する機能も備えている。
【００１７】
これにより、レンズ制御回路２０５は、ＣＰＵ４０１との間で通信を行い、撮影レンズユニット２００内のレンズ群２０１および絞り２０２の駆動を、ＡＦ駆動回路２０３および絞り駆動回路２０４を介して行うことが可能となる。
【００１８】
ミラーユニット５００は、メインミラー５０１、サブミラー５０２から構成されている。更にミラーユニット５００は、第１の位置（図２ａ）から第２の位置（図２ｂ）を経て第３の位置（図２ｃ）へ移動可能である。
【００１９】
メインミラー５０１は、ミラーユニット５００の第１の位置にて、撮影レンズユニット２００を通過する撮像光束を光学ファインダ３００へ導くとともに、その一部を透過させてサブミラー５０２に導く。
【００２０】
サブミラー５０２は、透過された撮影光束を焦点検出ユニット４０３へ導く。また、ミラーユニット５００は、撮像時には、撮影レンズユニット２００から撮像素子５０７に向かう光束を遮らないように第３の位置（図２ｃ）に退避する。
【００２１】
ミラー駆動回路４０２は、ミラーユニット５００を図２ａ、図２ｂと図２ｃのように、第１の位置から第２の位置を経て第３の位置へ、または第３の位置から第２の位置と経て第１の位置へ駆動するためのものであり、具体的には、たとえばモータ（不図示）とギヤトレイン（不図示）などから構成される。
【００２２】
焦点検出ユニット４０３は不図示である結像面近傍に配置されたフィールドレンズ、反射ミラー及び、２次結像レンズ、焦点検出センサ用絞り、複数のＣＣＤから成るラインセンサ等から構成されている。
【００２３】
焦点検出ユニット４０３から出力された信号は、焦点検出回路４０４へ供給され、被写体像信号に換算された後ＣＰＵ４０１へ送信される。
【００２４】
ＣＰＵ４０１は被写体像信号に基づいて、位相差検出法による焦点検出演算を行う。そして、デフォーカス量およびデフォーカス方向を求め、これに基づき、レンズ制御回路２０５およびＡＦ駆動回路２０３を介して、レンズ群２０１内のフォーカスレンズを合焦位置まで駆動する。
【００２５】
ペンタプリズム３０１は、メインミラー５０１によって反射された撮影光束を正立正像に変換反射する光学部材である。ユーザは、ペンタプリズム３０１を介して、ファインダ接眼レンズ３０４から被写体像を観察することができる。ペンタプリズム３０１は、撮影光束の一部を測光センサ３０２にも導く。測光回路３０３は、測光センサ３０２の出力を得て、観察面上の各エリアの輝度信号に変換し、ＣＰＵ４０１に出力する。ＣＰＵ４０１は、得られる輝度信号から露出値を算出する。
【００２６】
高分子分散液晶パネル３０５は、ファインダ接眼レンズ３０４を覗いているユーザに焦点検出動作の状態表示を知らせる表示ユニットである。高分子分散液晶パネル３０５は、通常、透過（透明）状態におかれる。そして、焦点検出ユニット４０３の焦点検出の結果、合焦に至ったと判断された焦点検出領域に対応した高分子分散液晶パネル３０５の焦点検出領域表示部のみが非透過（非透明）となって、撮影者にピントの合った被写界位置を知らせることが可能となっている。
【００２７】
シャッターユニット４０５は、例えば、機械式フォーカルプレーンシャッタであり、ユーザが光学ファインダ３００により被写体像を観察している時には撮影光束を遮る。また撮像時にはレリーズ信号に応じて、不図示の先羽根群と後羽根群の走行する時間差により所望の露光時間を得るように構成されている。シャッターユニット４０５は、ＣＰＵ４０１の指令を受けたシャッター駆動回路４０６によって駆動させ、撮像素子４０７に光を当てる時間を制御する。
【００２８】
このシャッター駆動回路４０６は、ＣＰＵ４０１から送信される制御信号に従ってシャッターを駆動させ、撮像素子４０７に光を当てる時間を制御する。
【００２９】
撮像素子４０７は撮像デバイスであるＣＭＯＳが用いられる。撮像デバイスには、ＣＣＤ型、ＣＭＯＳ型およびＣＩＤ型など様々な形態があり、何れの形態の撮像デバイスを採用してもよい。撮像素子４０７上に結像された被写体像は、光電変換によって撮像信号に変換され、アナログ信号として蓄積される。
【００３０】
Ａ／Ｄ変化器４０８は、撮像素子４０７で蓄積された被写体像のアナログ信号を順次受信し、デジタル信号に変換する。
【００３１】
画像処理部４０９は、Ａ／Ｄ変換器４０８で変換されたデジタル信号を、色補正、デモザイク処理、階調補正（γ補正）、ＹＣ分離処理等の画像処理を行い、画像データに変換する。
【００３２】
メモリ４１０は、不揮発性メモリＲＯＭ４１０ａ、揮発性メモリＲＡＭ４１０ｂ、バッファメモリＤＲＡＭ４１０ｃなどで構成されている。ＲＯＭ４１０ａはＣＰＵ４０１が各種処理を行う上で必要なプログラムなどを記憶し、ＲＡＭ４１０ｂはＣＰＵ４０１が各種処理を行う上で必要なデータを適宜記憶し、ＤＲＡＭ４１０ｃは画像処理部４１０で各種画像処理を施された画像データを記憶する。
【００３３】
外部メモリ４１１は、例えば、ＳＤメモリカードやコンパクトフラッシュ（登録商標）といった、カメラボディ１１０に着脱可能な不揮発性メモリである。ＤＲＡＭ４１０ｃのバッファメモリから読みだされた画像データは、所定の圧縮方式、例えばＪＰＥＧ方式でデータ圧縮され、外部メモリ４１１に保存される。また、ＤＲＡＭ４１０ｃおよび外部メモリ４１１から読みだされ伸張された画像データを表示する表示ユニットや、各種操作部材も含んでいる。電源４１２は、着脱可能な二次電池、または家庭用のＡＣ電源等で構成されており、各ユニットへ電源を供給する。
【００３４】
次に、図２〜４を参照して、本発明における、デジタル一眼レフカメラのミラーユニット５００の状態について説明する。
【００３５】
図２はデジタル一眼レフカメラの構成を説明する図である。
【００３６】
図２において、カメラ本体１には撮影レンズユニット２００が取り付けられている。カメラ本体１は、焦点検出ユニット４０３、光学ファインダ３００、ミラーユニット５００および撮像素子４０７を備えている。
【００３７】
図２（ａ）はメインミラーホルダ５０２およびサブミラーホルダ５０４はミラーダウン位置に待機している状態を示す。
【００３８】
ミラーユニット５００が光路内に位置し、撮影レンズユニット２００を通過した光束はメインミラー５０１で分離される。メインミラーで反射した光束は、光学ファインダーユニット４のペンタプリズム３０１に導かれる。一方、メインミラー５０１を透過した光束はサブミラー５０４で反射して、焦点検出ユニット４０３に導かれる。したがって、図２（ａ）の状況にて、撮影レンズユニット２００を透過した光束は、撮像素子４０７に導かれない。この状態を本実施例では第１の位置と呼ぶ。
【００３９】
図２（ｂ）はメインミラーホルダ５０２はミラーダウン位置に位置し、サブミラーホルダ５０４がメインミラー５０１と重なる位置までミラーアップしている状態を示す。
【００４０】
撮影レンズユニット２００を通過した光束は、焦点検出センサユニット４０３に導かれることなく、メインミラー５０１に反射して、光学ファインダ３００のペンタプリズム３０１に導かれ、ファインダ接眼枠３０５を介し被写体像を観察することができる。この状態を本実施例では第２の位置と呼ぶ。
【００４１】
図２(ｃ）はメインミラーホルダ５０２およびサブミラーホルダ５０４がミラーアップ位置に待機している状態を示す。
【００４２】
図２(ｃ）の状態では、メインミラーホルダ５０２およびサブミラーホルダ５０４はミラーボックス４００の上方に回動しミラーユニット５００は撮影光路内から退避する。これにより撮影レンズユニット２００を通過した光束は、光学ファインダ３００および焦点検出ユニット４０３に導かれることなく、撮像センサ４０７に導かれる。この状態を本実施例では第３位置と呼ぶ。
【００４３】
以上のようにミラーユニット５００は図２（ａ）に示すミラーダウン位置と図２（ｃ）に示すミラーアップ位置との間を駆動する。
【００４４】
図３はミラーユニット５００の構成を説明する分解斜視図であり、図２におけるメインミラーホルダ５０２及びサブミラーホルダ５０４の関係をここで説明する。
【００４５】
ミラーユニット５００はメインミラー５０１を保持するメインミラーホルダ５０２と、サブミラー５０３を保持するサブミラーホルダ５０４を有する。メインミラーホルダ５０２には回転軸５０２ａ、５０２ｂが形成されており、ミラーボックス４００に回転軸５０２ａを中心として回動するよう取り付けられている。
【００４６】
サブミラーホルダ５０４には穴部５０４ａが形成されており、メインミラーホルダ５０２に形成された軸５０２ｂに軸支され、該軸５０２ｂを中心に回動する。またサブミラーホルダ駆動軸５０４ｃが形成されており、該駆動軸に不図示のミラー駆動ユニットにより動力が伝達されることによりサブミラーホルダ５０４が駆動する。
【００４７】
サブミラーホルダ５０４が駆動することによりメインミラーホルダ５０２が押し上げられることでミラーアップ動作を行う。ミラーダウン動作は、メインミラーホルダ５０２がサブミラーホルダ５０４に引き下げられることでミラーダウン動作を行う機構となっており、前述図２の動作を可能としている。
【００４８】
以下図４を用いて更に詳細を説明する。図４はメインミラーホルダ５０２とサブミラーホルダ５０４の動作詳細図である。
【００４９】
（ａ）、（ｄ）は前記第１のミラーユニット位置を示し、（ｂ）、（ｅ）は前記第２のミラーユニット位置を示し、（ｃ）（ｆ）は前記第３のミラーユニット位置の状態を示す。
【００５０】
（ａ）において、サブミラーホルダ５０４は不図示のバネによりミラーボックス４００に取り付けられたサブミラー位置決め軸５０８に付勢されている。また、メインミラーホルダ５０２は不図示のバネによりミラーボックス４００に取り付けられたメインミラー位置決め軸５０７に付勢されて第１のミラーユニット位置の状態を保っている。この状態において、不図示のミラー駆動ユニットによりサブミラーホルダ駆動軸５０４ｃに図示Ｆ方向に動力が伝達されると軸５０２ｂを回転中心としてサブミラーホルダ５０４が駆動し、（ｂ）の第２のミラーユニット位置まで回動する。
【００５１】
第２のミラーユニット位置ではサブミラーホルダ５０４はメインミラーホルダ５０２に当接しその付勢力は、メインミラーホルダ５０２がメインミラー位置決め軸５０７から浮かない付勢力であれば良い。この状態において、不図示のミラー駆動ユニットによりサブミラーホルダ駆動軸５０４ｃに図示Ｆ方向に動力が伝達されると、サブミラーホルダ５０４によってメインミラーホルダ５０２を持ち上げられ、（ｃ）の第３のミラーユニット位置まで回動する。
【００５２】
第３のミラーユニット位置では、サブミラーホルダ５０４によってメインミラーホルダ５０２をミラーボックス４００に取り付けられたミラーアップストッパ５０５に付勢され、ミラーユニット５００は撮影光路内から退避する位置を保っている。
【００５３】
（ｄ）では不図示のミラー駆動ユニットによりサブミラーホルダ駆動軸５０４ｃに図示Ｆ方向に動力を伝達することでサブミラーホルダ５０４のダウンが開始される。この時メインミラーホルダ５０２はサブミラーホルダ５０４に連結された不図示のバネもしくはカムによりサブミラーホルダ５０４と同時に押し下げられ、メインミラーホルダ５０２がメインミラー位置決め軸５０７に当接し（ｅ）の第２のミラーユニット位置の状態となる。
【００５４】
（ｅ）の状態から不図示のミラー駆動ユニットによりサブミラーホルダ駆動軸５０４ｃに図示Ｆ方向に動力を伝達することでサブミラーホルダ５０４はサブミラー位置決め軸５０８に当接し（ｆ）の第１のミラーユニット位置に戻る。
【００５５】
尚、前記ミラー駆動ユニットの機構については、図２に示すミラーユニット５００の動作を達成できれば手段は問わない。
【００５６】
図５〜７は本実施例における撮影シーケンスを表すフローチャートである。
【００５７】
まず、図５を用いて、ミラーユニット５００が駆動するまでの処理動作を説明する。
【００５８】
ステップＳ１０１では、ＣＰＵ４０７はＳＷ１がＯＮになったか判定する。ステップＳ１０１でＳＷ１がＯＮであると確認したのち、ステップＳ１０２で、測光センサ３０２は光学ファインダ３００内の光量を測定する。
【００５９】
ステップＳ１０３では、ステップＳ１０２で測定された光学ファインダ３００内の光量から、ミラーユニット５００が第二の位置にあるときの光学ファインダ３００内の光量を算出する。
【００６０】
ステップＳ１０４では、ステップＳ１０３で算出された光量の算出値を用いて、所定の閾値よりも大きいか判断する。所定の閾値はユーザがまぶしいと感じるかどうかを示す指標である。光量の算出値が所定の閾値よりも大きい場合、ユーザはまぶしいと感じるが、所定の閾値よりも小さい場合、ユーザは被写体像に違和感を気にせず撮影することができる。所定の閾値よりも小さいと判断したとき、ステップＳ１０５のシーケンス１へ移行し、所定の閾値よりも大きいと判断したとき、ステップＳ１０６のシーケンス２へ移行する。
【００６１】
次に、図６を用いて、光学ファインダ内光量の算出値が所定の閾値よりも小さい場合の撮影シーケンス１の絞り制御について説明する。
【００６２】
ステップＳ１０７で、ＣＰＵ４０１はＳＷ２がＯＮになったことを確認すると、ステップＳ１０８に移行し、ユーザが撮影前に設定したＦ値を読み込み、ミラーユニット５００は駆動を開始する。
【００６３】
ステップＳ１０９では、ミラーユニット５００は第１の位置にあり、絞り２０２は解放状態にある。絞り２０２はステップＳ１０７で読み込んだ設定Ｆ値まで駆動を開始する。
【００６４】
ステップＳ１１０では、ミラーユニット５００は第２の位置にあり、絞り２０２は設定Ｆ値になるまで駆動を続ける。ミラーユニット５００が第２の位置まで駆動する間に、絞り２０２が設定Ｆ値まで駆動できた場合は、ステップＳ１０９で停止することになる。
【００６５】
ステップＳ１１１では、ミラーユニット５００が第３の位置に到達するまでに、絞り２０２は設定Ｆ値で停止し、ミラーアップ動作が完了する。ミラーユニット５００がミラーアップ動作を完了すると、撮影レンズユニット２００を通過した被写体像は撮像素子４０７に導かれる。撮像素子４０７に入射した被写体像の情報は、上述した各画像処理を経てメモリ４１０に記憶される。ミラーユニット５００のミラーアップ動作が完了したのち、ミラーダウン１動作を開始する。
【００６６】
ステップＳ１１２では、ミラーユニット５００は第３の位置にあり、絞り２０２はミラーユニットの駆動開始とともに、設定Ｆ値から解放Ｆ値まで駆動開始する。
【００６７】
ステップＳ１１３では、ミラーユニット５００は第２の位置にあり、絞り２０２は解放Ｆ値になるまで、駆動を続ける。
【００６８】
ステップＳ１１４では、ミラーユニット５００が第３の位置に到達するまでに、絞り２０２は解放Ｆ値で停止し、ミラーダウン１動作が完了する。
【００６９】
最後に、図７を用いて光学ファインダ３００内光量の算出値が所定の閾値よりも大きい場合の撮影シーケンス２の絞り制御について説明する。
【００７０】
シーケンス２は、設定Ｆ値によって、ミラーアップ時にはミラーアップ２−１とミラーアップ２−２の２通りのシーケンスがあり、ミラーダウン時にはミラーアップ時のシーケンスにそれぞれ対応したミラーダウン２−１とミラーダウン２−２のシーケンスがある。
【００７１】
まず、ミラーアップ時のシーケンスについて説明する。
【００７２】
ステップＳ１１５で、ＣＰＵ４０１はＳＷ２がＯＮになったことを確認すると、ステップＳ１１６に移行し、ミラーユニット５００は駆動を開始する。
【００７３】
ステップＳ１１６で、ミラーユニット５００は第１の位置にあり、絞り２０２は解放Ｆ値＋１／２段に向けて駆動を開始する。ステップＳ１１６で目指すＦ値は、本実施において解放Ｆ値＋１／２段としているが、メインミラーの反射率によって、このＦ値は異なってくる。メインミラーの反射率を７０％とすると、ミラーユニット５００が第２の位置にある時、光学ファインダ３００内の光量は、第１の位置にある時に比べて、およそ１．４倍になる。すなわち、ミラーユニット５００が第１の位置と第２の位置で、光学ファインダ３００内の光量を同じにするためには、解放Ｆ値に対して絞りを１／２段絞ればよい。
【００７４】
ステップＳ１１７で設定Ｆ値を読み込んだのち、ステップＳ１１８で、その設定Ｆ値が解放Ｆ値＋１／２段と等しいか判定する。設定Ｆ値が解放Ｆ値＋１／２段と等しい場合、ステップＳ１１９に移行し、設定Ｆ値が解放Ｆ値＋１／２段と異なる場合、ステップＳ１２１に移行する。
【００７５】
ステップＳ１１９で、ミラーユニット５００が第２の位置にある時、絞り２０２は解放Ｆ値＋１／２段に到達し、停止する。設定Ｆ値と解放Ｆ値＋１／２段が等しいため、ステップＳ１２０まで絞り２０２は停止した状態となる。こうして、ミラーアップ２−１を完了する。その後、ミラーダウン２−１に移行する。
【００７６】
ステップＳ１２１では、絞り２０２が解放Ｆ値＋１／２段に到達したのち、設定Ｆ値までの駆動を開始する。
【００７７】
ステップＳ１２２で、ミラーユニット５００が第３の位置にある時、絞り２０２は設定Ｆ値で停止し、ミラーアップ２−２を完了する。その後、ミラーダウン２−２に移行する。
【００７８】
次に、ミラーダウン時のシーケンスについて説明する。
【００７９】
ミラーアップ２−１が完了したのち、ミラーダウン２−１が開始すると、ステップＳ１２３で、ミラーユニット５００が第２の位置に到達するまで、絞り２０２は解放Ｆ値＋１／２段の状態で停止する。
【００８０】
ステップＳ１２４でミラーユニット５００が第２の位置に到達すると、絞り２０２は解放Ｆ値に向けて駆動を開始する。
【００８１】
ステップＳ１２５でミラーユニット５００が第１の位置に到達すると、絞り２０２も停止し、ミラーダウン２−１が完了する。ミラーダウン２−２では、ステップＳ１２６において、解放Ｆ値＋１／２段まで駆動を開始する。
【００８２】
そして、ステップＳ１２７で、ミラーユニット５００が第２の位置に到達したときに、絞り２０２は解放Ｆ値＋１／２段から解放Ｆ値まで駆動を開始する。
【００８３】
ステップＳ１２７で、ミラーユニット５００が第２の位置に到達すると、絞り２０２は解放Ｆ値まで駆動を完了し、停止する。こうして、ミラーダウン２−２のシーケンスが完了する。
【００８４】
このように、ミラーユニット５００が第２の位置にある時、絞り２０２を解放Ｆ値＋１／２段まで絞ることによって、ユーザは被写体像の明るさの変化を意識することなく撮影することができる。
【００８５】
上記では、ミラーユニット５００の駆動開始と同時に絞り２０２も駆動を開始したが、先に絞り２０２を解放Ｆ値＋１／２段まで駆動したのち、ミラーユニット５００の駆動を開始してもよい。また、上記の実施例では、絞りを駆動させることで光学ファインダ３００内の光量を制御したが、他の手段を用いてもよい。たとえば、高分子分散液晶３０５の透過率を変化させることで、光学ファインダ３００内へ入光する光量を制御することができる。
【００８６】
以上、本発明の好ましい実施形態について説明したが、本発明はこれらの実施形態に限定されず、その要旨の範囲内で種々の変形及び変更が可能である。
【符号の説明】
【００８７】
１００  カメラ本体、２０２  絞り、３００  光学ファインダ、３０２  測光センサ、
４０７  撮像素子、５０１  メインミラー、５０２  メインミラーホルダ、
５０３  サブミラー、５０４  サブミラーホルダ
【図１】
2017156374.tif 000003
【図２】
2017156374.tif 000004
【図３】
2017156374.tif 000005
【図４】
2017156374.tif 000006
【図５】
2017156374.tif 000007
【図６】
2017156374.tif 000008
【図７】
2017156374.tif 000009